(57)【要約】      （修正有）【課題】巻取りパイプ内の滞留水を効果的に排出して汚水が伝動体側に浸入することを防ぐ温室シートの巻取りパイプ除水装置を提供する。【解決手段】出力軸３と巻取りパイプ４間に除水具Ｃを介装してなる。除水具には内面に隔壁６が形成されていて、出力軸と巻取りパイプが隔壁によって仕切られている。除水具内面に形成した突起７に巻取りパイプ先端が当接され、巻取りパイプの先端口４ａから出た滞留水が除水具に形成した排水口８から排出される。【選択図】図２
0003179113.tif 000002
【実用新案登録請求の範囲】
【請求項１】
温室の外部近傍に立設した支柱に沿って上下に移動する伝動体を備え、該伝動体に突設した筒状の出力軸と該出力軸と連動する巻取りパイプ間に除水具を介装してなる温室シートの巻取りパイプ除水装置であって、出力軸と巻取りパイプは除水具の内側に固定ネジで夫々嵌着され、除水具には内面に隔壁が形成されていて出力軸と巻取りパイプが隔壁によって仕切られ、隔壁近傍の除水具内面に形成した突起に巻取りパイプ先端が当接され、しかして巻取りパイプの先端口から出た滞留水が除水具に形成した排水口から排出されることを特徴とする温室シートの巻取りパイプ除水装置。
【考案の詳細な説明】
【技術分野】
【０００１】  本考案は巻取りパイプ内に滞留する雨水を効果的に排出する温室シートの巻取りパイプ除水装置に関する。
【背景技術】
【０００２】  植物栽培用の温室における農業用フィルムからなる所謂温室シートは、温室の妻側等に立設した支柱に沿って可動する昇降装置の巻取りパイプに巻装され、装置に付設したハンドルを操作して巻取りパイプを回動することで巻取り・巻戻しされるものであるが、巻取りパイプは昇降装置に設けた出力軸に固定されていて出力軸の回転に連動する仕組みとなっている。ところで巻取りパイプは出力軸との結合個所や不測に生じた傷痕などにより長期使用中に雨水の影響で内部に水分が溜まるといった事態を起こすことは避けられず、このため巻取りパイプが雨水の重量で重くなり回転に支障を生じたり湿気によりパイプ内に錆びを発生したり汚物が付着するといった問題もみられる。そこで、パイプ内部に雨水の浸入を防止することができればこれに越したことはないが、温室外部に設置した昇降装置に雨水防止手段を施すことはそれだけ設置に要する手間と費用がかかるので必ずしも賢明な方策とはならない。したがってパイプ内に滞留した雨水を効率的に排出することにより問題解決を図る技術の提案がなされていることは首肯されるところである（例えば特許文献１参照）。
【先行技術文献】
【特許文献】
【０００３】
【特許文献１】実用新案登録第３１４３９８３号公報
【考案の概要】
【考案が解決しようとする課題】
【０００４】  特許文献１は除水策を施した巻取り装置に関する技術であり、昇降装置の伝動体に突出した出力軸と連動する巻取りパイプ内に溜まった水を除水孔から排出することを主旨としたものであり、それなりの除水効果が所期される点では評価できるが、出力軸と巻取りパイプは空洞部が直通しているため、除水孔から排出しきれない水分は筒状の出力軸側に浸入するといった事態が生じることは否めず、それゆえ長期使用中に出力軸及び伝動体にも雨水の影響によるマイナス効果が発生するという懸念がある。【０００５】  本考案はこのような従来技術に鑑みてなされたもので、その目的とするところは雨水を効率よく排出してパイプ内部に水分滞留による錆び・汚れの発生、重みで生ずるパイプの回転不良などを一掃するとともに、伝動体側の出力軸への水分流出を防止できる温室シートの巻取りパイプ除水装置を提供しようするものである。
【課題を解決するための手段】
【０００６】  上記目的を達成するために本考案は、温室の外部近傍に立設した支柱に沿って上下に移動する伝動体を備え、該伝動体に突設した筒状の出力軸と該出力軸と連動する巻取りパイプ間に除水具を介装してなる温室シートの巻取りパイプ除水装置であって、出力軸と巻取りパイプは除水具の内側に固定ネジで夫々嵌着され、除水具には内面に隔壁が形成されていて出力軸と巻取りパイプが隔壁によって仕切られ、隔壁近傍の除水具内面に形成した突起に巻取りパイプ先端が当接され、しかして巻取りパイプの先端口から出た滞留水が除水具に形成した排水口から排出されることを特徴とする温室シートの巻取りパイプ除水装置を主旨とするものである。
【考案の効果】
【０００７】  出力軸と巻取りパイプ間に介装した除水具の排水口より、巻取りパイプ内部に滞留した汚水が自動的に排出されるため巻取りパイプ内部の湿気が可及的抑止できる。このため湿気に起因する錆びの発生・腐食及び雨水の滞留によるパイプにかかる重みも未然に防止され、パイプの巻取り巻戻しの回転に支障を生じるおそれがない。【０００８】  除水具内部に突起を形成してあるため巻取りパイプの動きが長期にわたって繰り返されてもパイプは位置ずれすることがなく、排水口からの汚水排出は迅速且つスムーズに行われる。なかんずく除水具内面の隔壁によって出力軸と巻取りパイプは仕切られており、巻取りパイプ先端口より出る汚水が筒状の出力軸に及ぶことはないため出力軸を取り付けている伝動体にも水の浸入はなく、その動きにも支障をきたすことがない。
【図面の簡単な説明】
【０００９】
【図１】伝動体に本案装置を取り付けた概略図である。
【図２】出力軸と巻取りパイプ間に除水具を介装した本考案の説明図である。
【図３】図２のＡ−Ａ線概略断面図である。
【考案を実施するための形態】
【００１０】  図１は温室（不図示）の妻面側近傍に立設した支柱Ａに伝動体Ｂが昇降自在に設置されている例を示すもので、入力軸１に取り付けられているハンドル２を操作すると伝動体Ｂが昇降するとともに除水具Ｃを介して巻取りパイプ４が回動し、該パイプに巻装されているシート５が巻取り巻戻しされるものであり、この一連の動きは従来既存の装置と特段変わったところはないため伝動体Ｂの内部構造等については説明を省略した。
【００１１】  図２及び図３は本案装置の要部を示すもので、前記除水具Ｃの片側（図では左側）には伝動体Ｂに突設した筒状の出力軸３が嵌合され、固定ネジＰで緊締されている。また除水具Ｃの他側（図では右側）には前記巻取りパイプ４が嵌合され固定ネジＰで緊締されている。
【００１２】  除水具Ｃには内面に隔壁６が形成され、片方には出力軸３の先端部が臨み、他方には巻取りパイプ４の先端部が臨んでいるため出力軸３と巻取りパイプ４は除水具Ｃを介して連動はするが、空洞同士が連通はしない。巻取りパイプ４の先端口４ａは除水具Ｃの内面に形成した複数の突起７（図では相対する２個所）に当接し、その位置で前記固定ネジＰを緊締するため突起７がストッパーとなり、たとえパイプ４に外力が加わっても隔壁６側に移動することはない。
【００１３】  ８は除水具Ｃに形成した排水口であって、巻取りパイプ４の先端口４ａ該当個所に穿設されている。この排水口８より巻取りパイプ４の内部に滞留した汚水が排出される結果、巻取りパイプ４は汚水の悪影響を受けることがなく長期にわたっての正常な運転が所期される。排水口８は図示のように突起７とは齟齬する位置２個所に設けることにより突起７に触れることなく水がスムーズに排出され、また巻取りパイプ４は回転するたびにいずれかの排水口８が下向きに位置するため水の排出は滞ることがない。
【００１４】  しかして本考案における除水具Ｃは出力軸３、巻取りパイプ４を取り付ける固定ネジＰ、Ｐが螺合するネジ孔（図の説明は省略）と排水口８、内部に隔壁６と突起７を設けるという単純な構成であり、大きさも長さが６０ｍｍ弱、内径が２５ｍｍ程度のものであり、これらを一体成形することができるため費用を節して安価に量産できるという実益もある。
【００１５】  なお排水口８は１０ｍｍ弱の径で十分であり、円形、角形などの別は問わない。また突起７の大きさ・形状・個数・位置、その他例えば伝動体Ｂを自動操作するなど図示されない事項は勿論、その他本考案の目的効果を奏する範囲における付加変更事項も本考案の自由な実施の範疇に属する。
【符号の説明】
【００１６】Ａ  支柱    Ｂ  伝動体    Ｃ  除水具    ３  出力軸    ４  巻取りパイプ
４ａ先端口  ５  シート    ６  隔壁    ７  突起    ８  排水口
【図１】
0003179113.tif 000003
【図２】
0003179113.tif 000004
【図３】
0003179113.tif 000005